【誤訳訂正書】
【提出日】平成22年2月1日(2010.2.1)
【誤訳訂正１】
【訂正対象書類名】特許請求の範囲
【訂正対象項目名】全文
【訂正方法】変更
【訂正の内容】
【特許請求の範囲】
【請求項１】
輪紋病（Ｍ．  ｂｒａｓｓｉｃｉｃｏｌａ）に対する耐性遺伝子を有する芽キャベツ（Ｂ．  ｏｌｅｒａｃｅａ）植物であって、前記耐性遺伝子が輪紋病（Ｍ．  ｂｒａｓｓｉｃｉｃｏｌａ）に対して単性及び優性耐性を有し、前記耐性遺伝子が、受託番号ＰＴＡ−７４１３として２００６年３月１日に米国菌培養収集所（エーティーシーシー（ＡＴＣＣ），  パテント  デポジトリー（Ｐａｔｅｎｔ  Ｄｅｐｏｓｉｔｏｒｙ），  １０８０１，  ユニバーシティ  バウルバード（Ｕｎｉｖｅｒｓｉｔｙ  Ｂｏｕｌｅｖａｒｄ），  マナサス（Ｍａｎａｓｓａｓ），  バージニア州（ＶＡ）  ２０１１０，  米国）に寄託された種から成る芽キャベツ（Ｂ．  ｏｌｅｒａｃｅａ）植物に由来することを特徴とする芽キャベツ（Ｂ．  ｏｌｅｒａｃｅａ）植物。
【請求項２】
前記耐性遺伝子が少なくとも１つの特定ＤＮＡマーカに連結されている請求項１に記載の芽キャベツ（Ｂ．  ｏｌｅｒａｃｅａ）植物。
【請求項３】
前記輪紋病（Ｍ．  ｂｒａｓｓｉｃｉｃｏｌａ）に対する耐性遺伝子が少なくとも２つのＤＮＡマーカに連結されており、前記ＤＮＡマーカが前記耐性遺伝子を囲んでいる請求項２に記載の芽キャベツ（Ｂ．  ｏｌｅｒａｃｅａ）植物。
【請求項４】
前記輪紋病（Ｍ．  ｂｒａｓｓｉｃｉｃｏｌａ）に対する耐性遺伝子が少なくとも３つのＤＮＡマーカに連結されており、前記ＤＮＡマーカが前記耐性遺伝子を囲んでいる請求項３に記載の芽キャベツ（Ｂ．  ｏｌｅｒａｃｅａ）植物。
【請求項５】
前記輪紋病（Ｍ．  ｂｒａｓｓｉｃｉｃｏｌａ）に対する耐性遺伝子が少なくとも４つのＤＮＡマーカに連結されており、前記ＤＮＡマーカが前記耐性遺伝子を囲んでいる請求項４に記載の芽キャベツ（Ｂ．  ｏｌｅｒａｃｅａ）植物。
【請求項６】
前記輪紋病（Ｍ．  ｂｒａｓｓｉｃｉｃｏｌａ）に対する耐性遺伝子が少なくとも５つのＤＮＡマーカに連結されており、前記ＤＮＡマーカが前記耐性遺伝子を囲んでいる請求項５に記載の芽キャベツ（Ｂ．  ｏｌｅｒａｃｅａ）植物。
【請求項７】
前記輪紋病（Ｍ．  ｂｒａｓｓｉｃｉｃｏｌａ）に対する耐性遺伝子が少なくとも６つのＤＮＡマーカに連結されており、前記ＤＮＡマーカが前記耐性遺伝子を囲んでいる請求項６に記載の芽キャベツ（Ｂ．  ｏｌｅｒａｃｅａ）植物。
【請求項８】
前記ＤＮＡマーカが表１から選択され、前記芽キャベツ植物中のゲノムにある前記ＤＮＡマーカの存在が、配列番号１〜６（表２）を含むグループから選択されるプライマー配列を使用することにより立証される請求項１乃至７のいずれかに記載の芽キャベツ（Ｂ．  ｏｌｅｒａｃｅａ）植物。
【請求項９】
前記芽キャベツ植物が、ロマネスコ・カリフラワー（Ｂ．  ｏｌｅｒａｃｅａ  ｃｏｎｖａｒ．  ｂｏｔｒｙｔｉｓ  ｖａｒ．  ｂｏｔｒｙｔｉｓ）、ブロッコリー（Ｂ．  ｏｌｅｒａｃｅａ  ｃｏｎｖａｒ．  ｂｏｔｒｙｔｉｓ  ｖａｒ．  ｃｙｍｏｓａ）、スプラウティング・ブロッコリー（Ｂ．  ｏｌｅｒａｃｅａ  ｃｏｎｖａｒ．  ｂｏｔｒｙｔｉｓ  ｖａｒ．  ａｓｐａｒａｇｏｉｄｅｓ）、芽キャベツ（Ｂ．  ｏｌｅｒａｃｅａ  ｃｏｎｖａｒ．  ｏｌｅｒａｃｅａ  ｖａｒ．  ｇｅｍｎｉｆｅｒａ）、白キャベツ若しくは牛心キャベツ（Ｂ．  ｏｌｅｒａｃｅａ  ｃｏｎｖａｒ．  ｃａｐｉｔａｔａ  ｖａｒ．  ａｌｂａ）、赤キャベツ（Ｂ．  ｏｌｅｒａｃｅａ  ｃｏｎｖａｒ．  ｃａｐｉｔａｔａ  ｖａｒ．  ｒｕｂｒａ）、サボイキャベツ（Ｂ．  ｏｌｅｒａｃｅａ  ｃｏｎｖａｒ．  ｃａｐｉｔａｔａ  ｖａｒ．  ｓａｂａｕｄａ）、ちりめんキャベツ（Ｂ．  ｏｌｅｒａｃｅａ  ｃｏｎｖａｒ．  ａｃｅｐｈｅｌａ  ｖａｒ．  ｓａｂｅｌｌｉｃａ）、スズナ（Ｂ．  ｏｌｅｒａｃｅａ  ｃｏｎｖａｒ．  ａｃｅｐｈｅｌａ  ｖａｒ．  ｇｏｎｇｙｌｏｉｄｅｓ）、及びポルトガルキャベツ（Ｂ．  ｏｌｅｒａｃｅａ  ｖａｒ．  ｔｒｏｎｃｈｕｄａ  ｓｙｎ．  ｃｏｓｔａｔａ）から成るグループより選択される請求項１乃至８のいずれかに記載の芽キャベツ（Ｂ．  ｏｌｅｒａｃｅａ）植物。
【請求項１０】
請求項１乃至９のいずれかに記載の芽キャベツ（Ｂ．  ｏｌｅｒａｃｅａ）植物の種、果実及び／又は他の部位。
【請求項１１】
輪紋病（Ｍ．  ｂｒａｓｓｉｃｉｃｏｌａ）に対する耐性を有する芽キャベツ（Ｂ．  ｏｌｅｒａｃｅａ）植物の製造方法であって、
（ａ）輪紋病（Ｍ．  ｂｒａｓｓｉｃｉｃｏｌａ）に対する耐性遺伝子を有する第１芽キャベツ（Ｂ．  ｏｌｅｒａｃｅａ）植物を備える手段と、
（ｂ）前記第１芽キャベツ植物と感受性第２芽キャベツ（Ｂ．  ｏｌｅｒａｃｅａ）植物とを交配させる手段と、
（ｃ）前記耐性遺伝子に連結された１つ若しくはそれ以上の特定ＤＮＡマーカを用い、前記耐性遺伝子による遺伝子移入の存在を発見するための子孫ゲノムＤＮＡを分離する手段と、
（ｄ）前記耐性遺伝子への遺伝子移入の存在が手段（ｃ）によって立証された芽キャベツ（Ｂ．  ｏｌｅｒａｃｅａ）植物の前記子孫ゲノムＤＮＡから選択する手段とを具備することを特徴とする芽キャベツ（Ｂ．  ｏｌｅｒａｃｅａ）植物の製造方法。
【請求項１２】
前記耐性遺伝子が輪紋病（Ｍ．  ｂｒａｓｓｉｃｉｃｏｌａ）に対して単一遺伝子耐性及び優性遺伝子耐性を有している請求項１１に記載の芽キャベツ（Ｂ．  ｏｌｅｒａｃｅａ）植物の製造方法。
【請求項１３】
前記耐性遺伝子が、受託番号ＰＴＡ−７４１３として２００６年３月１日に米国菌培養収集所（エーティーシーシー（ＡＴＣＣ），  パテント  デポジトリー（Ｐａｔｅｎｔ  Ｄｅｐｏｓｉｔｏｒｙ），  １０８０１，  ユニバーシティ  バウルバード（Ｕｎｉｖｅｒｓｉｔｙ  Ｂｏｕｌｅｖａｒｄ），  マナサス（Ｍａｎａｓｓａｓ），  バージニア州（ＶＡ）  ２０１１０，  米国）に寄託された種から成る、芽キャベツ（Ｂ．  ｏｌｅｒａｃｅａ）植物に由来する請求項１１又は１２に記載の芽キャベツ（Ｂ．  ｏｌｅｒａｃｅａ）植物の製造方法。
【請求項１４】
手段（ｄ）における前記耐性芽キャベツ（Ｂ．  ｏｌｅｒａｃｅａ）植物は、前記耐性遺伝子に連結されている少なくとも２つのＤＮＡマーカを含み、前記ＤＮＡマーカが前記耐性遺伝子を囲んでいる芽キャベツ（Ｂ．  ｏｌｅｒａｃｅａ）植物から選択されて成る請求項１１乃至１３のいずれかに記載の芽キャベツ（Ｂ．  ｏｌｅｒａｃｅａ）植物の製造方法。
【請求項１５】
手段（ｄ）における前記耐性芽キャベツ（Ｂ．  ｏｌｅｒａｃｅａ）植物は、前記耐性遺伝子に連結されている少なくとも３つのＤＮＡマーカを含み、前記ＤＮＡマーカが前記耐性遺伝子を囲んでいる芽キャベツ（Ｂ．  ｏｌｅｒａｃｅａ）植物から選択されて成る請求項１４に記載の芽キャベツ（Ｂ．  ｏｌｅｒａｃｅａ）植物の製造方法。
【請求項１６】
手段（ｄ）における前記耐性芽キャベツ（Ｂ．  ｏｌｅｒａｃｅａ）植物は、前記耐性遺伝子に連結されている少なくとも４つのＤＮＡマーカを含み、前記ＤＮＡマーカが前記耐性遺伝子を囲んでいる芽キャベツ（Ｂ．  ｏｌｅｒａｃｅａ）植物から選択されて成る請求項１５に記載の芽キャベツ（Ｂ．  ｏｌｅｒａｃｅａ）植物の製造方法。
【請求項１７】
手段（ｄ）における前記耐性芽キャベツ（Ｂ．  ｏｌｅｒａｃｅａ）植物は、前記耐性遺伝子に連結されている少なくとも５つのＤＮＡマーカを含み、前記ＤＮＡマーカが前記耐性遺伝子を囲んでいる芽キャベツ（Ｂ．  ｏｌｅｒａｃｅａ）植物から選択されて成る請求項１６に記載の芽キャベツ（Ｂ．  ｏｌｅｒａｃｅａ）植物の製造方法。
【請求項１８】
手段（ｄ）における前記耐性芽キャベツ（Ｂ．  ｏｌｅｒａｃｅａ）植物は、前記耐性遺伝子に連結されている少なくとも６つのＤＮＡマーカを含み、前記ＤＮＡマーカが前記耐性遺伝子を囲んでいる芽キャベツ（Ｂ．  ｏｌｅｒａｃｅａ）植物から選択されて成る請求項１１に記載の芽キャベツ（Ｂ．  ｏｌｅｒａｃｅａ）植物の製造方法。
【請求項１９】
前記ＤＮＡマーカが表１に記載のＤＮＡマーカより選択され、前記ＤＮＡマーカが配列番号１〜６（表２）から成るグループから選択されたプライマー配列により立証される請求項１１乃至１８に記載の芽キャベツ（Ｂ．  ｏｌｅｒａｃｅａ）植物の製造方法。
【請求項２０】
前記芽キャベツ植物が、ロマネスコ・カリフラワー（Ｂ．  ｏｌｅｒａｃｅａ  ｃｏｎｖａｒ．  ｂｏｔｒｙｔｉｓ  ｖａｒ．  ｂｏｔｒｙｔｉｓ）、ブロッコリー（Ｂ．  ｏｌｅｒａｃｅａ  ｃｏｎｖａｒ．  ｂｏｔｒｙｔｉｓ  ｖａｒ．  ｃｙｍｏｓａ）、スプラウティング・ブロッコリー（Ｂ．  ｏｌｅｒａｃｅａ  ｃｏｎｖａｒ．  ｂｏｔｒｙｔｉｓ  ｖａｒ．  ａｓｐａｒａｇｏｉｄｅｓ）、芽キャベツ（Ｂ．  ｏｌｅｒａｃｅａ  ｃｏｎｖａｒ．  ｏｌｅｒａｃｅａ  ｖａｒ．  ｇｅｍｎｉｆｅｒａ）、白キャベツ若しくは牛心キャベツ（Ｂ．  ｏｌｅｒａｃｅａ  ｃｏｎｖａｒ．  ｃａｐｉｔａｔａ  ｖａｒ．  ａｌｂａ）、赤キャベツ（Ｂ．  ｏｌｅｒａｃｅａ  ｃｏｎｖａｒ．  ｃａｐｉｔａｔａ  ｖａｒ．  ｒｕｂｒａ）、サボイキャベツ（Ｂ．  ｏｌｅｒａｃｅａ  ｃｏｎｖａｒ．  ｃａｐｉｔａｔａ  ｖａｒ．  ｓａｂａｕｄａ）、ちりめんキャベツ（Ｂ．  ｏｌｅｒａｃｅａ  ｃｏｎｖａｒ．  ａｃｅｐｈｅｌａ  ｖａｒ．  ｓａｂｅｌｌｉｃａ）、スズナ（Ｂ．  ｏｌｅｒａｃｅａ  ｃｏｎｖａｒ．  ａｃｅｐｈｅｌａ  ｖａｒ．  ｇｏｎｇｙｌｏｉｄｅｓ）、及びポルトガルキャベツ（Ｂ．  ｏｌｅｒａｃｅａ  ｖａｒ．  ｔｒｏｎｃｈｕｄａ  ｓｙｎ．  ｃｏｓｔａｔａ）から成るグループより選択される請求項１１乃至１９のいずれかに記載の芽キャベツ（Ｂ．  ｏｌｅｒａｃｅａ）植物の製造方法。
【請求項２１】
請求項１１乃至２０のいずれかに記載の芽キャベツ植物の製造方法によって得られる輪紋病（Ｍ．  ｂｒａｓｓｉｃｉｃｏｌａ）耐性芽キャベツ（Ｂ．  ｏｌｅｒａｃｅａ）植物。
【請求項２２】
輪紋病（Ｍ．  ｂｒａｓｓｉｃｉｃｏｌａ）に対する耐性を有する芽キャベツ（Ｂ．  ｏｌｅｒａｃｅａ）植物の同定のために、輪紋病（Ｍｙｃｏｓｐｈａｅｒｅｌｌａ  ｂｒａｓｓｉｃｉｃｏｌａ）に対する耐性遺伝子に連結された少なくとも一つのＤＮＡマーカの使用であって、前記ＤＮＡマーカが表１に記載のＤＮＡマーカより選択され、前記ＤＮＡマーカが配列番号１〜６（表２）から成るグループから選択されたプライマー配列により立証されることを特徴とする芽キャベツ（Ｂ．  ｏｌｅｒａｃｅａ）植物の使用。
【誤訳訂正２】
【訂正対象書類名】明細書
【訂正対象項目名】０００７
【訂正方法】変更
【訂正の内容】
【０００７】
この目的を達成するために、本発明は、輪紋病（Ｍ．  ｂｒａｓｓｉｃｉｃｏｌａ）に対する耐性遺伝子を有する芽キャベツ（Ｂ．  ｏｌｅｒａｃｅａ）植物であって、前記耐性遺伝子が輪紋病（Ｍ．  ｂｒａｓｓｉｃｉｃｏｌａ）に対する単性及び優性耐性を備え、前記耐性遺伝子が、受託番号ＰＴＡ−７４１３として２００６年３月１日に米国菌培養収集所（エーティーシーシー（ＡＴＣＣ），  パテント  デポジトリー（Ｐａｔｅｎｔ  Ｄｅｐｏｓｉｔｏｒｙ），  １０８０１，  ユニバーシティ  バウルバード（Ｕｎｉｖｅｒｓｉｔｙ  Ｂｏｕｌｅｖａｒｄ），  マナサス（Ｍａｎａｓｓａｓ），  バージニア州（ＶＡ）  ２０１１０，  米国）に寄託された種から成る、芽キャベツ（Ｂ．  ｏｌｅｒａｃｅａ）植物に由来することを特徴とすることで達成される。驚いたことには、優れた耐性が輪紋病（Ｍ．  ｂｒａｓｓｉｃｉｃｏｌａ）に対する２種の生理種（ｐｈｙｓｉｏ´ｓ）によって提供されることにより、本発明による耐性遺伝子が発見された。これらは、オランダ国にてしばしば存在する生理種並びに西フランス地方（特にノルマンディ及びブリタニー）のカリフラワー及び中央アメリカ（特にグアテマラ）のキャベツによく見られるより伝染率の高い生理種である。
【誤訳訂正３】
【訂正対象書類名】明細書
【訂正対象項目名】０００９
【訂正方法】変更
【訂正の内容】
【０００９】
本発明の好ましい態様は、輪紋病（Ｍ．  ｂｒａｓｓｉｃｉｃｏｌａ）に対する耐性遺伝子が、少なくとも２つ、好ましくは少なくとも３つ、より好ましくは少なくとも４つ、より好ましくは少なくとも５つ、最も好ましくは６つのＤＮＡマーカに連結されており、前記ＤＮＡマーカが前記耐性遺伝子を囲むことである。本発明における“エンクローズ（囲む）”とは、ＤＮＡマーカが、耐性遺伝子の両側、即ち耐性遺伝子の“アップストリーム（上流）”及び“ダウンストリーム（下流）”にあるゲノムに存在することを意味するものであると理解されたい。耐性遺伝子に連結され耐性遺伝子に囲まれている複数のＤＮＡマーカーの存在を証明することは、耐性遺伝子による遺伝子移入が実際に存在することを確実なこととする。
【誤訳訂正４】
【訂正対象書類名】明細書
【訂正対象項目名】００１１
【訂正方法】変更
【訂正の内容】
【００１１】
本発明に関する研究では、前記関連ＤＮＡマーカが輪紋病（Ｍ．  ｂｒａｓｓｉｃｉｃｏｌａ）耐性を有するための遺伝子移入のための特性があることが証明された。本発明におけるＤＮＡマーカは、関連耐性遺伝子に連結され、表１に表示されている（塩基対の）同定サイズを有し、そして特定のプライマーの組み合わせを用いることによって証明されるＤＮＡマーカフラグメント（断片）である。
【誤訳訂正５】
【訂正対象書類名】明細書
【訂正対象項目名】００１４
【訂正方法】変更
【訂正の内容】
【００１４】
本発明はまた、輪紋病（Ｍ．  ｂｒａｓｓｉｃｉｃｏｌａ）に対する耐性を有する芽キャベツ（Ｂ．  ｏｌｅｒａｃｅａ）植物を得るための栽培方法であって、前記方法は、少なくとも（ａ）輪紋病（Ｍ．  ｂｒａｓｓｉｃｉｃｏｌａ）に対する耐性遺伝子を有する第１芽キャベツ（Ｂ．  ｏｌｅｒａｃｅａ）植物を備える手段と、（ｂ）前記第１芽キャベツ植物と感受性第２芽キャベツ（Ｂ．  ｏｌｅｒａｃｅａ）植物とを交配させる手段と、（ｃ）前記耐性遺伝子に連結された１つ若しくはそれ以上の特定ＤＮＡマーカーを用い、前記耐性遺伝子による遺伝子移入の存在を発見するための子孫ゲノムＤＮＡを分離する手段と、（ｄ）前記耐性遺伝子への遺伝子移入の存在が手段（ｃ）によって立証された芽キャベツ（Ｂ．  ｏｌｅｒａｃｅａ）植物の前記子孫（ゲノムＤＮＡ）から選択する手段とを具備している。
【誤訳訂正６】
【訂正対象書類名】明細書
【訂正対象項目名】００１６
【訂正方法】変更
【訂正の内容】
【００１６】
輪紋病（Ｍ．  ｂｒａｓｓｉｃｉｃｏｌａ）の病的圧力は、風、気温、空気湿度及び環境（その逆として宿主植物側からも）のような異質な自然因子によってとても変化しやすい。感染度の大きな差は、これによって表れる。更には、その兆候は、黒斑病（Ａｌｔｅｒｎａｒｉａ  ｂｒａｓｓｉｃａｅ）及び黒すす病（Ａ．  ｂｒａｓｓｉｃｉｃｏｌａ）によって引き起こされた病弊と容易く混同されてしまう。本発明による方法と耐性遺伝子に連結された特定ＤＮＡマーカを使用することは、植物が耐性遺伝子を含んでいるかどうかを簡便に決定することが可能である。この方法では、耐性芽キャベツ（Ｂ．  ｏｌｅｒａｃｅａ）植物が、従来の育種プログラムと比べるとより速く得られる。多くのアブラナ属種は、植物が最初の１年は生育し、２年目は花をつけ種を生産するという２年に１回というサイクルを有する。耐性遺伝子に連結されている特定ＤＮＡマーカを利用することによって、選択を可能にする為の感染テストを実行する必要が無いこと並びに親木の段階まで成長させる必要がないために、前述の過程が年周期として促進される。このように、多くの年が全てを含めた育種プログラムに蓄えられている。
【誤訳訂正７】
【訂正対象書類名】明細書
【訂正対象項目名】００１７
【訂正方法】変更
【訂正の内容】
【００１７】
本発明による方法における前記手段（ｄ）によって選択される植物は、感染しやすい芽キャベツ（Ｂ．  ｏｌｅｒａｃｅａ）植物と１回若しくは数回交配し、引き続き特定ＤＮＡマーカを用い耐性芽キャベツ（Ｂ．  ｏｌｅｒａｃｅａ）植物の子孫から再び選択するといった戻し交配若しくは自家受粉のような追加の手段を随意的に受けることが出来る。前述の手段（ｄ）にて得られた植物はまた、例えば、葯及び／又はミクロ胞子培地のような当業者に知られた手法によって、ホモ接合体が作られる。
【誤訳訂正８】
【訂正対象書類名】明細書
【訂正対象項目名】００１９
【訂正方法】変更
【訂正の内容】
【００１９】
好ましい態様は、第１芽キャベツ（Ｂ．  ｏｌｅｒａｃｅａ）植物が、受託番号ＰＴＡ−７４１３として２００６年３月１日に米国菌培養収集所（エーティーシーシー（ＡＴＣＣ），  パテント  デポジトリー（Ｐａｔｅｎｔ  Ｄｅｐｏｓｉｔｏｒｙ），  １０８０１，  ユニバーシティ  バウルバード（Ｕｎｉｖｅｒｓｉｔｙ  Ｂｏｕｌｅｖａｒｄ），  マナサス（Ｍａｎａｓｓａｓ），  バージニア州（ＶＡ）  ２０１１０，  米国）に寄託された種から成る芽キャベツ（Ｂ．  ｏｌｅｒａｃｅａ）植物から得られた耐性遺伝子を含んでいることである。
【誤訳訂正９】
【訂正対象書類名】明細書
【訂正対象項目名】００２２
【訂正方法】変更
【訂正の内容】
【００２２】
本発明の特に好ましい態様は、第１芽キャベツ（Ｂ．  ｏｌｅｒａｃｅａ）植物が、受託番号ＰＴＡ−７４１３として２００６年３月１日に米国菌培養収集所（エーティーシーシー（ＡＴＣＣ），  パテント  デポジトリー（Ｐａｔｅｎｔ  Ｄｅｐｏｓｉｔｏｒｙ），  １０８０１，  ユニバーシティ  バウルバード（Ｕｎｉｖｅｒｓｉｔｙ  Ｂｏｕｌｅｖａｒｄ），  マナサス（Ｍａｎａｓｓａｓ），  バージニア州  ２０１１０，  米国）に寄託された種から成る、芽キャベツ（Ｂ．  ｏｌｅｒａｃｅａ）植物に由来する輪紋病（Ｍ．  ｂｒａｓｓｉｃｉｃｏｌａ）耐性遺伝子を含んでいることである。
【誤訳訂正１０】
【訂正対象書類名】明細書
【訂正対象項目名】００２６
【訂正方法】変更
【訂正の内容】
【００２６】
耐性遺伝子が好ましくは、受託番号ＰＴＡ−７４１３として米国菌培養収集所（エーティーシーシー（ＡＴＣＣ））に寄託された種から成る、芽キャベツ（Ｂ．  ｏｌｅｒａｃｅａ）植物に由来する。
【誤訳訂正１１】
【訂正対象書類名】明細書
【訂正対象項目名】００２９
【訂正方法】変更
【訂正の内容】
【００２９】
［実施例］
輪紋病（Ｍ．  ｂｒａｓｓｉｃｉｃｏｌａ）耐性親系統芽キャベツ（Ｂ．  ｏｌｅｒａｃｅａ）（９００９８９９，  カリフラワー型；受託番号ＰＴＡ−７４１３として米国菌培養収集所に寄託されている）は、異種芽キャベツ（Ｂ．  ｏｌｅｒａｃｅａ）種（スズナ、ブロッコリー、牛心キャベツ、白キャベツ、赤キャベツ、ちりめんキャベツ、サボイキャベツ、ケール、芽キャベツ及びカリフラワー）と異種交配された。ＢＣｌポピュレーション（個体群）は、感染しやすい親系統へと戻し交配した後に得られた。
【誤訳訂正１２】
【訂正対象書類名】明細書
【訂正対象項目名】００３０
【訂正方法】変更
【訂正の内容】
【００３０】
フィールドテストは違った年に立証された。（芽キャベツ）植物素材が、輪紋病（Ｍ．  ｂｒａｓｓｉｃｉｃｏｌａ）による感染度が高く、且つ異種芽キャベツ（Ｂ．  ｏｌｅｒａｃｅａ）種に一様に発生した年に収集された。輪紋病（Ｍ．  ｂｒａｓｓｉｃｉｃｏｌａ）に対する耐性のためのＤＮＡマーカの開発は、これらの個体群から始まった。該ポピュレーションの殆ど全てが、輪紋病（Ｍ．  ｂｒａｓｓｉｃｉｃｏｌａ）耐性に関して１：１のスプリットを有しており、前記輪紋病耐性は、期待された単一的且つ優れた耐性を示唆する。
【誤訳訂正１３】
【訂正対象書類名】明細書
【訂正対象項目名】００３２
【訂正方法】変更
【訂正の内容】
【００３２】
ｉＳＳＲ（単純反復配列間）及びＲＡＰＤ（無作為増幅多型ＤＮＡ）プライマーが組み合わされるようにして成るＲＡＭＰ法は、ＤＮＡ断片を有するバンドパターンが生成され、そのバンドパターンは特に耐性遺伝子と共分離しており、それによって耐性遺伝子移入を含んだ個体と、耐性遺伝子移入を含まない個体とを区別することが出来る。
【誤訳訂正１４】
【訂正対象書類名】明細書
【訂正対象項目名】００３３
【訂正方法】変更
【訂正の内容】
【００３３】
ＲＡＭＰフラグメントをマッピングすることによって、遺伝子移入が行われたり耐性遺伝子を含む密接に関連するＲＡＭＰマーカが、表１に記載されているように同定された。ＤＮＡマーカと耐性遺伝子との間の遺伝距離は、センチモルガン（ｃＭ。１ｃＭ＝０．０２２ｃｍ）で表される。